(57)【特許請求の範囲】
【請求項１】
看護師を求める医療機関の医療機関端末と、就職先を求める看護師の看護師端末と、前記医療機関端末と前記看護師端末とをインターネット通信網を介して接続するサーバとを備えてなる看護師マッチングシステムであって、前記サーバは、前記医療機関端末の募集条件入力画面から入力される募集条件を受け付けて、前記医療機関に付与する固有の識別番号と関連付けて記憶部に登録する募集条件登録処理と、前記記憶部に登録されている募集条件のうち、前記看護師端末の希望条件検索画面から入力される希望条件に合致するものを抽出して前記看護師端末に表示する希望条件抽出表示処理とを少なくとも備え、
前記募集条件は、少なくとも前記医療機関の名称と、所在地と、看護師免許の種類と、勤務日と、勤務時間の種類とであり、
前記看護師免許の種類と、勤務日と、勤務時間の種類との入力は、看護師免許の種類と勤務時間の種類とに分けて前記募集条件入力画面に予め表示される日付カレンダーから募集日を選択する処理により行うことを特徴とする看護師マッチングシステム。
【請求項２】
募集条件は、前記募集条件入力画面から更新可能としてあることを特徴とする請求項１に記載の看護師マッチングシステム。
【請求項３】
希望条件抽出表示処理は、前記記憶部に登録されている募集条件のうち、前記希望条件検索画面で入力される看護師免許の種類と、医療機関の所在地と、勤務時間の種類とに合致するものを、医療機関の名称で抽出表示させた後に該医療機関と関連付けられた募集条件を抽出表示させる医療機関名先行表示処理と、勤務日で抽出表示させた後に該勤務日と関連付けられた医療機関の募集条件を抽出表示させる勤務日先行表示処理とを備えると共に、前記医療機関名先行表示処理と前記勤務日先行表示処理との何れかを前記看護師端末で選択可能な構成としてあることを特徴とする請求項１又は２に記載の看護師マッチングシステム。
【発明の詳細な説明】
【技術分野】
【０００１】
本発明は、看護師を求める医療機関と、就職先を求める看護師とのマッチングを効率的に行うことができる看護師マッチングシステムに関する。
【背景技術】
【０００２】
従来、労働者を求める企業と、就職先を求める労働者とのマッチングを行うマッチングシステムが種々提案されている。
このようなマッチングシステムとしては、例えば下記特許文献１がある。
【先行技術文献】
【特許文献】
【０００３】
【特許文献１】特開２０１３−２００７００号公報
【発明の概要】
【発明が解決しようとする課題】
【０００４】
上記特許文献１に示すような従来のマッチングシステムにおいては、企業と労働者とがそれぞれ希望条件や各種情報をサーバに登録した上で、サーバが互いの条件に合致するものを抽出する構成を備えるものが一般的であった。そして、このような従来のマッチングシステムにおいては、サーバに登録する労働者の情報として、自己の氏名、年齢、住所、電話番号、メールアドレス等のいわゆる個人情報を要求するものが一般的であった。よって、個人情報が漏洩する危険性があることから、労働者が安心してシステムを利用することができないという問題があった。また、企業と労働者とが様々な情報をサーバに登録する必要があることから、手続きが煩雑になるという問題があった。
また従来のマッチングシステムは、様々な業種に広く対応できるような構成であることから、医療機関における看護師の雇用に特有の問題に対応できるような構成を備えるものではないという問題があった。
具体的には、医療機関では、看護師の配置基準が診療報酬の入院基本料と連動していることから、看護師の配置人数が重要な経営要素となる。ここで、「看護師の配置基準」とは、医療法によって定められる一つの病院に何人の看護師が勤務するかの基準のことであり、看護師一人あたり何人の入院患者の看護をするかに応じて、１５対１、１３対１、１０対１、７対１と四つの区分が定められている。また「入院基本料」とは、病院が医療保険からもらう診療報酬のうち、医師の診察や看護サービス等に対して支払われるお金のことで、看護師の配置が多いほど入院基本料が高くなる。
従って、看護師が急な病気欠勤や産休、育休をとると看護師の配置基準を満たさなくなる為、一定数以上の看護師を如何にして確保するか、特に急な看護師の欠員を如何にして補充するかが重要な課題となっている。つまり、看護師の雇用においては、求人情報の提供を迅速に提供できるかが重要な要素となる。
また、看護師の勤務体系は、日勤、夜勤という一般企業とは異なる勤務体系であることから、このような勤務体系にも沿うマッチングシステムの開発が課題となっていた。
【０００５】
そこで本発明は上記従来における問題点を解決し、簡易な構成で看護師を求める医療機関と就職先を求める看護師とのマッチングを効率的に行うことができると共に、就職先を求める看護師が安心して利用することができ、また急な看護師の欠員に対しても迅速に求人を行うことができる看護師マッチングシステムの提供を課題とする。
【課題を解決するための手段】
【０００６】
上記課題を達成するため、本発明の看護師マッチングシステムは、看護師を求める医療機関の医療機関端末と、就職先を求める看護師の看護師端末と、前記医療機関端末と前記看護師端末とをインターネット通信網を介して接続するサーバとを備えてなる看護師マッチングシステムであって、前記サーバは、前記医療機関端末の募集条件入力画面から入力される募集条件を受け付けて、前記医療機関に付与する固有の識別番号と関連付けて記憶部に登録する募集条件登録処理と、前記記憶部に登録されている募集条件のうち、前記看護師端末の希望条件検索画面から入力される希望条件に合致するものを抽出して前記看護師端末に表示する希望条件抽出表示処理とを少なくとも備え、
前記募集条件は、少なくとも前記医療機関の名称と、所在地と、看護師免許の種類と、勤務日と、勤務時間の種類とであり、
前記看護師免許の種類と、勤務日と、勤務時間の種類との入力は、看護師免許の種類と勤務時間の種類とに分けて前記募集条件入力画面に予め表示される日付カレンダーから募集日を選択する処理により行うことを第１の特徴としている。
また本発明の看護師マッチングシステムは、上記第１の特徴に加えて、募集条件は、前記募集条件入力画面から更新可能としてあることを第２の特徴としている。
また本発明の看護師マッチングシステムは、上記第１又は第２の特徴に加えて、希望条件抽出表示処理は、前記記憶部に登録されている募集条件のうち、前記希望条件検索画面で入力される看護師免許の種類と、医療機関の所在地と、勤務時間の種類とに合致するものを、医療機関の名称で抽出表示させた後に該医療機関と関連付けられた募集条件を抽出表示させる医療機関名先行表示処理と、勤務日で抽出表示させた後に該勤務日と関連付けられた医療機関の募集条件を抽出表示させる勤務日先行表示処理とを備えると共に、前記医療機関名先行表示処理と前記勤務日先行表示処理との何れかを前記看護師端末で選択可能な構成としてあることを第３の特徴としている。
【発明の効果】
【０００７】
上記第１の特徴による看護師マッチングシステムによれば、看護師を求める医療機関の医療機関端末と、就職先を求める看護師の看護師端末と、前記医療機関端末と前記看護師端末とをインターネット通信網を介して接続するサーバとを備えてなる看護師マッチングシステムであって、前記サーバは、前記医療機関端末の募集条件入力画面から入力される募集条件を受け付けて、前記医療機関に付与する固有の識別番号と関連付けて記憶部に登録する募集条件登録処理と、前記記憶部に登録されている募集条件のうち、前記看護師端末の希望条件検索画面から入力される希望条件に合致するものを抽出して前記看護師端末に表示する希望条件抽出表示処理とを少なくとも備えることから、簡易な構成で登録医療機関の中から希望条件に合致する医療機関を効率的に検索することができる。
加えて、募集条件は、少なくとも前記医療機関の名称と、所在地と、看護師免許の種類と、勤務日と、勤務時間の種類とであることから、最低限の募集条件項目の入力だけで看護師の求人を行うことができる。よって看護師の勤務体系に沿った求人を行うことができると共に、医療機関の求人担当者の作業負担を効率的に軽減することができる。
更に加えて、看護師免許の種類と、勤務日と、勤務時間の種類との入力は、看護師免許の種類と勤務時間の種類とに分けて前記募集条件入力画面に予め表示される日付カレンダーから募集日を選択する処理により行うことから、医療機関の求人担当者の作業負担を一段と効率的に軽減することができる。
【０００８】
また上記第２の特徴による看護師マッチングシステムによれば、上記第１の特徴による作用効果に加えて、募集条件は、前記募集条件入力画面から更新可能としてあることから、募集条件を容易に更新することができ、リアルタイムでの募集条件を提供することができる。よって急な看護師の欠員に対しても迅速に求人を行うことができる。
【０００９】
また上記第３の特徴による看護師マッチングシステムによれば、上記第１又は第２の特徴による作用効果に加えて、希望条件抽出表示処理は、前記記憶部に登録されている募集条件のうち、前記希望条件検索画面で入力される看護師免許の種類と、医療機関の所在地と、勤務時間の種類とに合致するものを、医療機関の名称で抽出表示させた後に該医療機関と関連付けられた募集条件を抽出表示させる医療機関名先行表示処理と、勤務日で抽出表示させた後に該勤務日と関連付けられた医療機関の募集条件を抽出表示させる勤務日先行表示処理とを備えると共に、前記医療機関名先行表示処理と前記勤務日先行表示処理との何れかを前記看護師端末で選択可能な構成としてあることから、希望条件に合致する募集条件を看護師が希望する表示形式で看護師端末に表示させることができる。よって看護師にとって使い勝手のよい看護師マッチングシステムとすることができる。また希望条件検索画面には看護師免許の種類と、医療機関の所在地と、勤務時間の種類とだけを入力する構成であることから、個人情報の漏洩を気にする必要がなく、看護師が安心して利用できるマッチングシステムとすることができる。
【図面の簡単な説明】
【００１０】
【図１】本発明の実施形態に係る看護師マッチングシステムのシステム構成を示す図である。
【図２】本発明の実施形態に係る看護師マッチングシステムにおける処理の流れを示す図で、（ａ）は医療機関を新たに会員登録する際の処理の流れを示す図、（ｂ）は会員登録された医療機関が募集条件を登録する処理の流れを示す図である。
【図３】本発明の実施形態に係る看護師マッチングシステムにおける管理者端末の画面を示す図で、医療機関の情報を追加、修正する画面が表示された状態を示す図である。
【図４】本発明の実施形態に係る看護師マッチングシステムにおける管理者端末の画面を示す図で、医療機関を新たに会員登録する際にアカウントとパスワードを設定する画面が表示された状態を示す図である。
【図５】本発明の実施形態に係る看護師マッチングシステムにおける医療機関端末の画面を示す図で、本システムにログインするための画面が表示された状態を示す図である。
【図６】本発明の実施形態に係る看護師マッチングシステムにおける医療機関端末の画面を示す図で、募集条件を入力する画面が表示された状態を示す図である。
【図７】本発明の実施形態に係る看護師マッチングシステムにおける医療機関端末の画面を示す図で、募集条件を入力する画面が表示された状態を示す図である。
【図８】本発明の実施形態に係る看護師マッチングシステムにおける処理の流れを示す図で、看護師が検索画面を利用して医療機関を検索する流れを示す図である。
【図９】本発明の実施形態に係る看護師マッチングシステムにおける看護師端末の画面を示す図で、検索画面が表示された状態を示す図である。
【図１０】本発明の実施形態に係る看護師マッチングシステムにおける看護師端末の画面を示す図で、検索結果画面が表示された状態を示す図である。
【図１１】本発明の実施形態に係る看護師マッチングシステムにおける看護師端末の画面を示す図で、募集条件提示画面が表示された状態を示す図である。
【図１２】本発明の実施形態に係る看護師マッチングシステムにおける看護師端末の画面を示す図で、募集条件提示画面が表示された状態を示す図である。
【図１３】本発明の実施形態に係る看護師マッチングシステムにおける処理の流れを示す図で、看護師が検索画面を利用して医療機関を検索する流れを示す図である。
【図１４】本発明の実施形態に係る看護師マッチングシステムにおける看護師端末の画面を示す図で、検索結果画面が表示された状態を示す図である。
【図１５】本発明の実施形態に係る看護師マッチングシステムにおける看護師端末の画面を示す図で、検索結果画面が表示された状態を示す図である。
【図１６】本発明の実施形態に係る看護師マッチングシステムにおける看護師端末の画面を示す図で、募集条件提示画面が表示された状態を示す図である。
【発明を実施するための形態】
【００１１】
以下、各図面を参照して、本発明の実施形態に係る看護師マッチングシステムを説明し、本発明の理解に供する。しかし、以下の説明は特許請求の範囲に記載の本発明を限定するものではない。
【００１２】
先ず図１を参照して、本発明の実施形態に係る看護師マッチングシステム１は、インターネット通信網５を介して、看護師を求める医療機関と就職先を求める看護師とのマッチングを行うシステムである。
【００１３】
この看護師マッチングシステム１は、主として医療機関端末２と、看護師端末３と、サーバ４と、インターネット通信網５とで構成される。
【００１４】
前記医療機関端末２は、看護師を求める医療機関の担当者が操作する端末で、主としてインターネット通信網５で接続されるサーバ４との間で所定の情報を送受信する。この医療機関端末２としては、例えばパーソナルコンピュータ、携帯電話等、インターネット通信網５と接続可能な各種端末を用いることができる。つまり、医療機関端末２は医療機関の内部に設置されている端末だけでなく、医療機関の担当者が携帯して医療機関の外部で操作可能な端末を含むものである。
なお詳しくは図示していないが、この医療機関端末２は、インターネット通信網５と接続可能な端末が通常有する機能（ハードウェアやソフトウェア）を備えている。
【００１５】
前記看護師端末３は、就職先を求める看護師が操作する端末で、主としてインターネット通信網５で接続されるサーバ４との間で所定の情報を送受信する。この看護師端末３としては、例えばパーソナルコンピュータ、スマートフォン等の携帯電話やノートパソコン、ＰＤＡ等、インターネット通信網５と接続可能な各種端末を用いることができる。
なお詳しくは図示していないが、この看護師端末３は、インターネット通信網５と接続可能な端末が通常有する機能（ハードウェアやソフトウェア）を備えている。
またここで、「看護師」とは、いわゆる看護師と准看護士との両方を含む概念である。また「就職」とは、正規雇用と非正規雇用（いわゆる契約社員やアルバイト等）との両方を含む概念である。
【００１６】
前記サーバ４は、看護師マッチングシステム１を管理、運営する機能を有するものであり、本システムを管理、運営するいわゆる運営会社の管理下に置かれるものである。
このサーバ４は、主として制御部４１と、通信部４２と、識別番号付与部４３と、記憶部４４とを備える。
【００１７】
前記制御部４１は、看護師マッチングシステム１を運営、管理するプログラムを保有するものである。具体的には、詳しく図示していないが、医療機関端末２、看護師端末３、運営会社の端末（図示しない）でそれぞれ閲覧可能な看護師求人サイトを運営、管理するプログラムを保有するものである。また、サーバ４の照合を得ることが必要なデータについての認証を行う機能も備えるものである。
本看護師マッチングシステム１においては、例えば識別番号付与部４３が作成して記憶部４４に登録されている医療機関の識別番号データ（パスワード等）と医療機関端末２から送信される識別番号データとを照合することで、医療機関が本システム１に登録されているものであるか否かの認証を行うことができる。勿論、制御部４１が行う認証はこれに限られるものではない。
【００１８】
前記通信部４２は、インターネット通信網５を介して、医療機関端末２若しくは看護師端末３とサーバ４との間で各種データの送受信を行う機能を有するものである。なお、ここで「各種データ」とは、文字データ、音声データ、画像データ、動画データ等の送受信できる全てのデータを含む概念である。
【００１９】
前記識別番号付与部４３は、本システムを運営する上で作成する必要が生じた各種識別番号データを作成するためのものである。識別番号データとしては、例えば本システムの会員である医療機関に個別に付与するパスワード等がある。
【００２０】
前記記憶部４４は、識別番号付与部４３で作成されて本システムの会員である医療機関に付与される個別の識別番号データや看護師の募集条件データ等、サーバ４に記憶させておく必要があるデータや、追加・修正のあったデータ等を記憶（登録）する機能を有するものである。
看護師の募集条件データとしては、例えば医療機関の名称、所在地、看護師免許の種類、勤務日、勤務時間の種類等がある。
【００２１】
以下、看護師、准看護士をいわゆるアルバイトとして求める医療機関と、医療機関でアルバイトとして働きたい看護師、准看護士とを看護師マッチングシステム１を利用してマッチングさせる具体的な流れを説明する。なお本実施形態においては、医療機関を病院とすることとする。
【００２２】
まず図２〜図４を参照して、本発明の実施形態に係る看護師マッチングシステム１において、医療機関を新たに会員登録する処理を説明する。
【００２３】
まず図２（ａ）を参照して、看護師マッチングシステム１の会員になりたい医療機関が、本システムの運営会社に会員登録したい旨の申込みを行う。（ステップＳ１）。なお、医療機関が本システムの運営会社に会員登録したい旨の申込みを行う手段としては、電話、ファックス、Ｅ−ｍａｉｌ（Ｅｌｅｃｔｒｏｎｉｃ  ｍａｉｌ）等、如何なる意思伝達手段を用いてもよい。
【００２４】
会員登録したい旨の申込みを運営会社の担当者が受け付けると、担当者は管理者用端末の管理者用画面を用いて新たに会員登録を行う医療機関に固有のアカウントとパスワードを作成し、記憶部４４に登録する。（ステップＳ２）
具体的には図３を参照して、本システムの運営会社の担当者が、登録医療機関一覧画面４５で新規登録ボタン４ａをクリックする。これにより、図４に示す新規医療機関登録画面４６が起動する。そして、担当者が新規医療機関登録画面４６でアカウントとパスワードを作成し、医療機関名と関連付けて登録する。より具体的には図４に示す新規医療機関登録画面４６で、アカウントを入力し、パスワード生成ボタン４ｂをクリックする。これによって新たに登録される医療機関に固有のパスワードが生成される。その後、新規医療機関登録画面４６の入力枠４ｃにアカウント、パスワード、医療機関名が入力された状態でアカウント追加ボタン４ｄをクリックすることで、アカウント、パスワード、医療機関名が関連付けられて記憶部４４に記憶される。
【００２５】
そして通信部４２が作成されたアカウントとパスワードとを申込みのあった医療機関に送信する。（ステップＳ３）その後、医療機関端末２にアカウントとパスワードとが表示される。（ステップＳ４）
以上の処理により、会員登録したい旨の申込みを行った医療機関は、本システムの新たな会員となり、以後本システムへのログインが可能となる。
【００２６】
なお、会員である医療機関の各種情報（アカウント、医療機関名、担当者名等）を修正する場合は、図３に示す登録医療機関一覧画面４５の入力枠４ｃに表示される各種情報を修正後、修正ボタン４ｅをクリックする。その後医療機関選択枠４ｆを選択して（いわゆるチェックを入れて）更新ボタン４ｇをクリックすることで修正することができる。
また会員である医療機関を削除する場合は、図３に示す登録医療機関一覧画面４５に表示される医療機関選択枠４ｆを選択して、削除ボタン４ｈをクリックすることで削除することができる。
【００２７】
次に図２、図５〜図７を参照して、本発明の実施形態に係る看護師マッチングシステム１において、会員である医療機関（病院）が看護師の募集条件を登録する募集条件登録処理について説明する。
【００２８】
まず図２（ｂ）を参照して、医療機関の担当者が医療機関端末２を用いて、付与されたアカウント、パスワードで看護師マッチングシステム１にログインする。（ステップＳ５）
具体的には、図５に示す看護師求人サイトのログイン画面２１で入力枠２ａにアカウント、パスワードを入力後、ログインボタン２ｂをクリックすることで看護師マッチングシステム１にログインする。
【００２９】
ログイン後、医療機関の担当者は、医療機関端末２に表示される画面で募集条件を入力する。（ステップＳ６）
具体的には、医療機関の担当者が図６、図７に示す募集条件入力画面２２、２３の必要箇所を選択或いは必要箇所に情報を入力することで募集条件を入力する。
【００３０】
本実施形態においては図６に示すように、変動性のある変動性募集条件の入力を募集条件入力画面２２で行う構成としてある。ここで「変動性募集条件」とは、比較的頻繁に書き換えが必要な募集条件の事を意味するものである。つまり、必要な看護師免許の種類、看護師の勤務日、勤務時間は、それぞれの医療機関における看護師の欠員状況や補充状況によって日々変わるものである。従って本実施形態においては、募集する看護師免許の種類、募集する勤務日、募集する勤務時間の種類を変動性募集条件とする構成としてある。
具体的には図６に示すように、正看護師で日勤、正看護師で夜勤、准看護士で日勤、准看護士で夜勤というように、看護師免許の種類と勤務時間の種類とを組み合わせた４つの区分毎に予め表示される日付カレンダーのうち、募集する勤務日に該当する選択枠２ｃ（全ての日を選択する場合は一括選択枠２ｄ）を選択する（いわゆるチェックを入れる）ことで、募集する看護師免許の種類と、募集する勤務日、募集する勤務時間の種類の入力を行う。そして入力後に更新ボタン２ｅをクリックすることで、募集する看護師免許の種類と、募集する勤務日、募集する勤務時間の種類をサーバ４が受け付けて、医療機関に固有の識別番号と関連付けて記憶部４４に登録する。
また「日勤、夜勤」とは、いわゆる２交代制の勤務シフトにおける朝から夕方までの勤務を日勤とし、夜から翌朝までの勤務を夜勤とするものである。勿論、勤務時間の種類はこれに限るものではなく、適宜変更可能である。
【００３１】
また募集条件入力画面２２に表示される日付カレンダーを異なる年月に移動させたい場合は、年月選択枠２ｆのプルダウンメニューで希望の日付カレンダーを選択後、移動ボタン２ｇをクリックすることで、希望する日付カレンダーを募集条件入力画面２２に表示させることができる。
【００３２】
また本実施形態においては図７に示すように、変動性のない非変動性募集条件の入力を募集条件入力画面２３で行う構成としてある。ここで「非変動性募集条件」とは、比較的頻繁に書き換えが必要ではない募集条件の事を意味するものである。つまり、病院名や所在地等の医療機関の基本情報や担当者名は日々変わるものではない。従って本実施形態においては、医療機関の所在地をはじめとする医療機関の基本情報や担当者名等、主として文字入力が必要で、一度入力すれば書き換えの必要性が少ない各種募集条件を非変動性募集条件とする構成としてある。
具体的には図７に示すように、入力枠２ｈに適宜文字入力することで非変動性募集条件を入力する構成としてある。そして入力後に更新ボタン２ｉをクリックすることで、各種募集条件をサーバ４が受け付けて、医療機関に固有の識別番号と関連付けて記憶部４４に登録する。これにより募集条件登録処理が終了する。
【００３３】
そして募集条件入力画面２２、２３の入力を終えて更新ボタン２ｅ、２ｉをクリックした後、募集条件入力画面２２の掲載ボタン２ｊをクリックすることで、看護師端末３で募集条件の閲覧が可能となる。
なお、医療機関が一度登録した募集条件を修正（更新）する場合は、既述した募集条件入力画面２２、２３で該当箇所を選択或いは該当箇所の入力を修正（記載の削除も含む）した後、更新ボタン２ｅ、２ｉをクリックし、その後掲載ボタン２ｊをクリックすることで募集条件を修正（更新）することができる。
【００３４】
次に図８〜図１６を参照して、本発明の実施形態に係る看護師マッチングシステム１において、看護師が希望する募集条件を検索する希望条件抽出表示処理について説明する。
【００３５】
まず図８を参照して、看護師若しくは准看護士が看護師端末３を用いて、看護師求人サイトの検索画面にアクセスして希望条件の入力を行い、希望条件に合致する医療機関の募集条件を検索する。（ステップＳ８）
具体的には図９に示す希望条件検索画面３１で希望条件を入力する。より具体的には希望する看護師免許の種類に該当する看護師免許選択枠３ａを選択する（チェックを入れる）。また所在地選択枠３ｂのプルダウンメニューで希望する所在地を選択する。更に希望する勤務時間の種類に該当する勤務時間選択枠３ｃを選択する（チェックを入れる）。
【００３６】
本実施形態の看護師マッチングシステム１においては、以上の３条件（看護師免許の種類、医療機関の所在地、勤務時間の種類）の入力の後に、希望条件に合致する医療機関の募集条件を抽出表示させる処理として、二通りの処理を備える構成としてある。
具体的には、一方は、まず医療機関の名称で抽出表示させて、その後に抽出表示させた医療機関と関連付けられた募集条件を抽出表示させる医療機関名先行表示処理である。他方は、まず勤務日で抽出表示させて、その後に抽出表示させた勤務日と関連づけられた医療機関の募集条件を抽出表示させる勤務日先行表示処理である。
そして本実施形態においては、これら二通りの処理の何れかを看護師端末３で選択できる構成としてある。
以下においては図８〜図１２を参照して、まず看護師が医療機関名先行表示処理を選択した場合について説明する。
【００３７】
既述した３条件（看護師免許の種類、医療機関の所在地、勤務時間の種類）の入力を行った後、看護師は医療機関名（病院名）で検索する処理を選択する。（ステップＳ８）
具体的には、図９に示す希望条件検索画面３１で看護師が医療機関名検索ボタン３ｄをクリックする。
【００３８】
これによって制御部４１は、記憶部４４に登録されている医療機関の募集条件のうち、看護師が入力した希望条件に合致する募集条件をまず医療機関の名称で抽出して、該当する医療機関名の一覧データを作成し、通信部４２が看護師端末３に医療機関名一覧データを送信して表示させる。（ステップＳ９、ステップＳ１０）
具体的には、看護師が医療機関名検索ボタン３ｄをクリックすることで、図１０に示す検索結果画面３２が看護師端末３に表示される。本実施形態では、看護師が入力した検索条件を表示する検索条件表示枠３２ａと、該当する医療機関名の一覧を表示する医療機関名表示枠３２ｂとを検索結果画面３２で表示する構成としてある。
なお、看護師が検索条件を変更する場合は、検索結果画面３２の検索条件変更ボタン３ｅをクリックして図９に示す希望条件検索画面３１を表示させた後、新たな検索条件の入力を行う。
【００３９】
次に看護師は、医療機関名（病院名）の一覧の中から募集条件の閲覧を希望するものを選択する。（ステップＳ１１）
具体的には図１０に示す医療機関名表示枠３２ｂに表示される医療機関名（病院名）の中から、募集条件の閲覧を希望する医療機関名選択ボタン３ｆをクリックする。
【００４０】
これによって制御部４１は、記憶部４４に登録されている医療機関の募集条件のうち、看護師に選択された医療機関名と関連付けられた募集条件を抽出して、通信部４２が看護師端末３に募集条件データを送信して表示させる。（ステップＳ１２）
具体的には、看護師が医療機関名選択ボタン３ｆをクリックすることで、図１１、図１２に示す特定の医療機関の名称と関連付けられた募集条件提示画面３３、３４が表示される。
【００４１】
本実施形態では、看護師が入力した検索条件を表示する検索条件表示枠３３ａと、看護師が選択した医療機関が看護師を募集する日（勤務日）を表示する勤務日表示枠３３ｂとを募集条件提示画面３３で表示する構成としてある。また本実施形態においては、勤務日表示枠３３ｂのうち、医療機関が看護師を募集する日を枠３ｇで囲む構成としてある。
なお、看護師が検索結果画面３２に表示される他の医療機関の募集条件を閲覧する場合は、募集条件提示画面３３の医療機関リスト表示ボタン３ｈをクリックして図１０に示す検索結果画面３２を表示させた後、他の医療機関に該当する医療機関名選択ボタン３ｆをクリックする。
【００４２】
また本実施形態では、医療機関の担当者によって文字入力された非変動性募集条件を募集条件提示画面３４の表示枠３ｉに表示する構成としてある。
【００４３】
そして、希望条件に合致する医療機関の募集条件を検索した看護師は、アルバイトとして雇用してもらいたい医療機関（病院）の担当者に連絡する。（ステップＳ１３）なお、連絡手段は、電話、ファックス、Ｅ−ｍａｉｌ（Ｅｌｅｃｔｒｏｎｉｃ  ｍａｉｌ）等、如何なる手段を用いてもよい。
【００４４】
その後、連絡を受けた医療機関の担当者は面接日を調整して求人に応募した看護師と面接を行う。（ステップＳ１４）
【００４５】
次に図９、図１３〜図１６を参照して、希望条件に合致する医療機関の募集条件を抽出表示させる処理として、看護師が勤務日先行表示処理を選択した場合について説明する。
【００４６】
既述した３条件（看護師免許の種類、医療機関の所在地、勤務時間の種類）の入力を行った後、看護師は勤務日で検索する処理を選択する。（ステップＳ１５）
具体的には、図９に示す希望条件検索画面３１で看護師が勤務日検索ボタン３ｊをクリックする。
【００４７】
これによって制御部４１は、記憶部４４に登録されている医療機関の募集条件のうち、看護師が入力した希望条件に合致する募集条件をまず勤務日（募集日）で抽出して、検索日から判断した直近の勤務日一覧データを作成し、通信部４２が看護師端末３に勤務日一覧データ（募集日一覧データ）を送信して表示させる。（ステップＳ１６、ステップＳ１７）
具体的には、看護師が勤務日検索ボタン３ｊをクリックすることで、図１４に示す検索結果画面３５が看護師端末３に表示される。本実施形態では、看護師が入力した検索条件を表示する検索条件表示枠３５ａと、１乃至複数の医療機関が看護師を募集する日（勤務日）を表示する勤務日表示枠３５ｂとを検索結果画面３５で表示する構成としてある。また本実施形態においては、勤務日表示枠３５ｂのうち、医療機関が看護師を募集する日を枠３ｋで囲む構成としてある。
なお、看護師が検索条件を変更する場合は、検索結果画面３５の検索条件変更ボタン３ｍをクリックして図９に示す希望条件検索画面３１を表示させた後、新たな検索条件の入力を行う。
【００４８】
次に看護師は、募集する勤務日の中から勤務したい日を選択する。（ステップＳ１８）
具体的には、図１４に示す勤務日表示枠３５ｂの中の枠３ｋで囲まれる日のうち、勤務したい日をクリックする。
【００４９】
これによって制御部４１は、記憶部４４に登録されている医療機関の募集条件のうち、看護師に選択された勤務日（募集日）と関連付けられた医療機関の名称を抽出して、該当する医療機関名一覧データを作成し、通信部４２が看護師端末３に医療機関名一覧データを送信して表示させる。（ステップＳ１９、ステップＳ２０）
具体的には、看護師が勤務したい日をクリックすることで、図１５に示す検索結果画面３６が看護師端末３に表示される。本実施形態では、看護師が入力した検索条件を表示する検索条件表示枠３６ａと、該当する医療機関名の一覧を表示する医療機関名表示枠３６ｂとを検索結果画面３６で表示する構成としてある。
なお、看護師が勤務したい日を変更する場合は、検索結果画面３６の検索日変更ボタンボタン３ｎをクリックして図１４に示す検索結果画面３５を表示させた後、新たな勤務希望日の選択を行う。
【００５０】
次に看護師は、医療機関名（病院名）の一覧の中から募集条件の閲覧を希望するものを選択する。（ステップＳ２１）
具体的には図１５に示す医療機関名表示枠３６ｂに表示される医療機関名（病院名）の中から、募集条件の閲覧を希望する医療機関名選択ボタン３ｐをクリックする。
【００５１】
これによって制御部４１は、記憶部４４に登録されている医療機関の募集条件のうち、看護師に選択された医療機関名と関連付けられた募集条件を抽出して、通信部４２が看護師端末３に募集条件データを送信して表示させる。（ステップＳ２２）
具体的には、看護師が医療機関名選択ボタン３ｐをクリックすることで、図１６に示す特定の医療機関の名称と関連付けられた募集条件提示画面３７が表示される。
【００５２】
本実施形態では、看護師が入力した検索条件を表示する検索条件表示枠３７ａと、医療機関の担当者によって文字入力された非変動性募集条件を表示する募集条件表示枠３７ｂとを募集条件提示画面３７で表示する構成としてある。
なお、看護師が閲覧したい医療機関を変更する場合は、募集条件提示画面３７の医療機関リスト表示ボタン３ｑをクリックして図１５に示す検索結果画面３６を表示させた後、新たな医療機関名の選択を行う。
【００５３】
そして希望条件に合致する医療機関の募集条件を検索した看護師は、アルバイトとして雇用してもらいたい医療機関（病院）の担当者に連絡する。（ステップＳ２３）なお、連絡手段は、電話、ファックス、Ｅ−ｍａｉｌ（Ｅｌｅｃｔｒｏｎｉｃ  ｍａｉｌ）等、如何なる手段を用いてもよい。
【００５４】
その後、連絡を受けた医療機関の担当者は面接日を調整して求人に応募した看護師と面接を行う。（ステップＳ２４）
【００５５】
このような構成からなる本発明の実施形態に係る看護師マッチングシステム１は、以下の効果を奏する。
【００５６】
医療機関端末２の募集条件入力画面から入力される募集条件を受け付けて、医療機関に付与する固有の識別番号と関連付けて記憶部４４に登録する募集条件登録処理と、記憶部４４に登録されている募集条件のうち、看護師端末３の希望条件検索画面から入力される希望条件に合致するものを抽出して看護師端末３に表示する希望条件抽出表示処理とを少なくとも備えるサーバ４を有する構成とすることで、簡易な構成で、登録されている募集条件の中から看護師の希望条件に合致する医療機関の募集条件を効率的に検索することができる。
【００５７】
また募集条件を少なくとも医療機関の名称と、所在地と、看護師免許の種類と、勤務日と、勤務時間の種類とにする構成とすれば、最低限の募集条件項目の入力だけで看護師の求人を行うことができる。よって、医療機関の求人担当者の作業負担を効率的に軽減することができる。
【００５８】
また、それぞれの医療機関における看護師の欠員状況や補充状況によって日々変わる変動性募集条件については、看護師免許の種類と勤務時間の種類とを組み合わせた４つの区分毎に予め表示される日付カレンダーのうち、募集する勤務日に該当する選択枠２ｃを選択する（いわゆるチェックを入れる）ことで、募集条件の入力或いは修正（更新）が可能となる構成とすることで、修正回数の多い変動性募集条件の入力を行う医療機関の求人担当者が、手間なく迅速に（数秒〜数分の作業で）募集条件の入力作業を完結させることができる。よって、医療機関の求人担当者の作業負担を一段と効率的に軽減することができる。
【００５９】
また募集条件入力画面から募集条件を更新可能とする構成とすることで、募集条件を容易に更新することができ、看護師求人サイトを閲覧する看護師にリアルタイムで募集条件を提供することができる。よって、看護師に急な欠員が生じた場合でも、欠員に対する募集を迅速に行うことができる。従って、急な看護師の欠員補充に繋がるツールとして看護師マッチングシステムを有効に利用することができる。同時に、アルバイトとして働きたい看護師にとっては、急な予定の空きを解消できるツールとして看護師マッチングシステムを有効に利用することができる。即ち、非正規雇用のアルバイトとして看護師を雇用したい医療機関（病院）と、アルバイトとして働きたい看護師にとって極めて有効なマッチングシステムとすることができる。
【００６０】
また希望条件抽出表示処理として、医療機関名先行表示処理と勤務日先行表示処理とを備えると共に、医療機関名先行表示処理と勤務日先行表示処理との何れかを看護師端末３で選択可能な構成としてあることから、看護師のニーズに沿った形で希望条件に合致する募集条件を看護師端末に表示させることができる。よって、使い勝手のよい看護師マッチングシステムとすることができる。
【００６１】
また看護師においては、運営会社への登録が必要なく、看護師免許の種類と、医療機関の所在地と、勤務時間の種類とを希望条件検索画面に入力するだけで募集条件（看護師求人情報）を好きな時間に検索できる構成であると共に、希望条件に合致する医療機関の担当者と直接連絡がとれる構成であることから、個人情報の漏洩を気にする必要がなく、看護師が安心して気軽に利用できるシステムとすることができる。
【００６２】
また医療機関端末２で募集条件を入力する処理と、看護師端末３で希望条件を検索する処理との何れにおいても、日付カレンダーで募集日（勤務日）を表示する構成とすることで、視覚的に把握し易いシステムとすることができる。
【００６３】
なお、本実施形態においては、看護師がアルバイトとして勤務する場合を説明したが、本発明の看護師マッチングシステムにおける看護師の勤務体系はこれに限るものではなく、適宜変更可能である。
【００６４】
また医療機関の担当者が入力する募集条件も本実施形態のものに限るものではなく、適宜変更可能である。が、少なくとも医療機関の名称と、所在地と、看護師免許の種類と、勤務日と、勤務時間の種類とが必要である。
【００６５】
また医療機関端末や看護師端末の画面に表示される入力画面の構成等も本実施形態のものに限るものではなく、適宜変更可能である。
【産業上の利用可能性】
【００６６】
本発明によれば、簡易な構成で看護師を求める医療機関と就職先を求める看護師とのマッチングを効率的に行うことができることから、医療分野における産業上の利用性が高い。
【符号の説明】
【００６７】
１            看護師マッチングシステム
２            医療機関端末
２ａ          入力枠
２ｂ          ログインボタン
２ｃ          選択枠
２ｄ          一括選択枠
２ｅ          更新ボタン
２ｆ          年月選択枠
２ｇ          移動ボタン
２ｈ          入力枠
２ｉ          更新ボタン
２ｊ          掲載ボタン
３            看護師端末
３ａ          看護師免許選択枠
３ｂ          所在地選択枠
３ｃ          勤務時間選択枠
３ｄ          医療機関名検索ボタン
３ｅ          検索条件変更ボタン
３ｆ          医療機関名選択ボタン
３ｇ          枠
３ｈ          医療機関リスト表示ボタン
３ｉ          表示枠
３ｊ          勤務日検索ボタン
３ｋ          枠
３ｍ          検索条件変更ボタン
３ｎ          検索日変更ボタン
３ｐ          医療機関名選択ボタン
３ｑ          医療機関リスト表示ボタン
４            サーバ
４ａ          新規登録ボタン
４ｂ          パスワード生成ボタン
４ｃ          入力枠
４ｄ          アカウント追加ボタン
４ｅ          修正ボタン
４ｆ          医療機関選択枠
４ｇ          更新ボタン
４ｈ          削除ボタン
５            インターネット通信網
２１          ログイン画面
２２          募集条件入力画面
２３          募集条件入力画面
３１          希望条件検索画面
３２          検索結果画面
３２ａ        検索条件表示枠
３２ｂ        医療機関名表示枠
３３          募集条件提示画面
３３ａ        検索条件表示枠
３３ｂ        勤務日表示枠
３４          募集条件提示画面
３５          検索結果画面
３５ａ        検索条件表示枠
３５ｂ        勤務日表示枠
３６          検索結果画面
３６ａ        検索条件表示枠
３６ｂ        医療機関名表示枠
３７          募集条件提示画面
３７ａ        検索条件表示枠
３７ｂ        募集条件表示枠
４１          制御部
４２          通信部
４３          識別番号付与部
４４          記憶部
４５          登録医療機関一覧画面
４６          新規医療機関登録画面
【図１】
0006486062.tif 000002
【図２】
0006486062.tif 000003
【図３】
0006486062.tif 000004
【図４】
0006486062.tif 000005
【図５】
0006486062.tif 000006
【図６】
0006486062.tif 000007
【図７】
0006486062.tif 000008
【図８】
0006486062.tif 000009
【図９】
0006486062.tif 000010
【図１０】
0006486062.tif 000011
【図１１】
0006486062.tif 000012
【図１２】
0006486062.tif 000013
【図１３】
0006486062.tif 000014
【図１４】
0006486062.tif 000015
【図１５】
0006486062.tif 000016
【図１６】
0006486062.tif 000017